(57)【特許請求の範囲】
【請求項１】
電子本のページを認識する光モジュールであって、
電子本のカバーに搭載され、放射光を発生させる少なくとも１つの光源と、
それぞれ上記電子本の１ページ上に設けられ、上記放射光を反射させる複数の反射層と、
上記反射層から反射光を受け取り、対応する信号を出力する少なくとも１つの光センサと、
周辺光を遮る少なくとも１つのフィルタと、
上記光源と上記光センサとの間に配置され、上記光源から上記光センサへの放射光を遮断する少なくとも１つの遮蔽層と、
上記対応する信号に応じて上記電子本の現在のページを認識するページ認識器を備え、
上記電子本のページはそれぞれ少なくとも１つの開口を有しており、上記反射層は上記開口の周辺部に設けられている光モジュール。
【請求項２】
上記放射光は赤外光である請求項１記載の光モジュール。
【請求項３】
上記反射層は金属層である請求項１記載の光モジュール。
【請求項４】
上記反射層は閉じた形状に形成されている請求項１記載の光モジュール。
【請求項５】
上記ページの開口のサイズが上記電子本の第１ページから最終ページに向かうにつれて次第に減少し、上記第１ページが上記光源に隣接している請求項１記載の光モジュール。
【請求項６】
上記電子本のカバーは、上記光源と上記光センサを収容する少なくとも１つのスロットを有している請求項１記載の光モジュール。
【請求項７】
上記電子本のカバーは第１のスロットと第２のスロットを有しており、上記第１のスロットは第１の光源と第１の光センサを収容するために使用され、上記第２のスロットは第２の光源と第２の光センサを収容するために使用される請求項６記載の光モジュール。
【請求項８】
上記電子本のページはそれぞれ第１の開口と第２の開口を有しており、上記第１の開口は上記第１のスロットに対応し、上記第２の開口は上記第２のスロットに対応している請求項７記載の光モジュール。
【請求項９】
上記フィルタは上記光源と上記光センサの上方に配置されており、周辺の可視光を遮るために使用される請求項１記載の光モジュール。
【請求項１０】
上記光源はレーザダイオードである請求項１記載の光モジュール。
【発明の詳細な説明】
【技術分野】
【０００１】
本発明は光モジュールに関し、特に電子本のページを認識する光モジュールに関する。
【背景技術】
【０００２】
図６に示すように、従来の電子本６０は、カバー６１と、複数のページ６２，６３，６４と、秤量センサ６５と、ページ認識器６６を備えている。秤量センサ６５は、電子本６０のカバー６１に搭載されており、秤量センサ６５上のページの総重量を算出するために使用される。ページ認識器６６は、このページ総重量から、利用者が今開いているページを認識することができる。したがって、電子本６０は、現在のページに応じてメモリの対応するデータにアクセスしてそのデータを出力することができる。
【発明の開示】
【発明が解決しようとする課題】
【０００３】
しかしながら、各ページの重量は軽いので、秤量センサ６５はページの総重量を精度よく算出できるように正確でなければならない。したがって、秤量センサ６５の費用は高いものになっている。さらに、利用者の手がページに触れたり、ページ上に何かが置かれたりすると、秤量センサ６５が算出する総重量に誤りが生じる可能性がある。電子本６０は間違った対応データにアクセスしてそれを出力してしまう恐れがある。
【０００４】
したがって、上記の問題を解決する、電子本のページを認識する光モジュールを提供する必要がある。
【課題を解決するための手段】
【０００５】
本発明の目的は、電子本のページを認識する光モジュールを提供することである。本発明の光モジュールは、少なくとも１つの光源と、複数の反射層と、少なくとも１つの光センサと、少なくとも１つのフィルタと、少なくとも１つの遮蔽層と、ページ認識器を備えている。光源は放射光を発生させるために使用され、電子本のカバーに搭載されている。反射層は放射光を反射させるために使用され、各反射層は電子本の１ページ上に設けられている。光センサは反射層からの反射光を受け取り、対応する信号を出力するために使用される。フィルタは周辺光を遮るために使用される。遮蔽層は光源と光センサとの間に配置され、光源から光センサへの放射光を遮断するために使用される。ページ認識器は、対応する信号に応じて電子本の現在のページを認識するために使用される。
【発明の効果】
【０００６】
本発明によれば、異なる反射層の異なる反射領域を利用して異なる反射光を反射させることにより、電子本が、利用者が今開いているページを認識することができる。反射領域を正しい反射光を反射させるように精確に制御することができるので、ページ認識器が現在のページを精確に認識し、従来の電子本の問題を解決することができる。
【発明を実施するための最良の形態】
【０００７】
図１および図２を参照すると、これらの図は本発明の第１の実施形態にかかる、電子本のページを認識する光モジュールを示す。この光モジュール１０は、光源１１と、複数の反射層１２１，１２２，１２３と、光センサ１３と、ページ認識器１４と、フィルタ１６と、遮蔽層１７を備えている。光源１１は、放射光を発生させるために使用され、電子本２０のカバー２１に搭載されている。好ましくは、放射光は赤外光であり、光源はレーザダイオードまたは発光ダイオード（ＬＥＤ）であってもよい。電子本２０のカバー２１は、光源１１と光センサ１３を収容するスロット２１１を有している。
【０００８】
反射層１２１，１２２，１２３は放射光を反射させるために使用され、各反射層は電子本２０の１ページ上に設けられている。例えば、第１の反射層１２１は電子本２０の第１ページ３１上に設けられ、第２の反射層１２２は電子本２０の第２ページ３２上に設けられ、第３の反射層１２３は電子本２０の第３ページ３３上に設けられている。反射層１２１，１２２，１２３は金属層であっても反射フィルムであってもよい。
【０００９】
図３Ａないし図３Ｃを参照すると、これらの図は電子本のページを示す。電子本２０のページはそれぞれ開口を有している。図３Ａを参照すると、第１ページ３１は開口３１１を有している。開口３１１は正方形である。第１の反射層１２１は開口３１１の周辺部に設けられており、閉じた形状に形成されている。第１の反射層１２１の外径はＢ１であり、内径はＡ１である。
【００１０】
図３Ｂを参照すると、第２ページ３２は開口３２１を有している。開口３２１も正方形である。第２の反射層１２２は開口３２１の周辺部に設けられており、閉じた形状に形成されている。第２の反射層１２２の外径はＢ１であり、内径はＡ２である。ここで、第２の反射層１２２の内径Ａ２のサイズは第１の反射層１２１の内径Ａ１よりも小さい。すなわち、開口３２１のサイズは開口３１１よりも小さい。さらに、第２ページ３２は第１ページ３１の上に配置されるので、第２の反射層１２２の外径は、図３Ａの第１の反射層１２１の内径と同じＡ１になる。
【００１１】
図３Ｃを参照すると、第３ページ３３は開口３３１を有している。開口３３１も正方形である。第３の反射層１２３は開口３３１の周辺部に設けられており、閉じた形状に形成されている。第３の反射層１２３の外径はＢ１であり、内径はＡ３である。第３の反射層１２３の内径Ａ３のサイズは第２の反射層１２２の内径Ａ２よりも小さい。すなわち、開口３３１のサイズは開口３２１よりも小さい。以上のことから、ページの開口のサイズは電子本の第１ページ３１から最終ページに向かって次第に減少し、第１ページ３１は光源１１に隣接している。最終ページは開口を有していなくてもよいが、最終ページ上にも最後の反射層を設けて放射光を反射させる必要がある。さらに、ページの開口は円形や、菱形などの所定の形状であってもよい。
【００１２】
図１を再び参照すると、光センサ１３は反射層から反射光を受け取り、対応する信号を出力するために使用される。第２ページ３２が第１ページ３１上に配置されるようにして開かれている場合、第２の反射層１２２の一部が露出され、第１の反射層１２１よりも多くの放射光を反射する。図２を参照すると、第３ページ３３が第２ページ３２上に配置されるようにして開かれている場合、第３の反射層１２３の一部が露出され、第２の反射層１２２よりも多くの放射光を反射する。したがって、光センサ１３はその上方の複数の反射層から様々な反射光を受け取り、その反射光に応じて対応する信号を出力することができる。
【００１３】
フィルタ１６は光源１１と光センサ１３の上方に配置されており、周辺の可視光を遮るために使用される。遮蔽層１７は光源１１と光センサ１３との間に配置されており、光源１１からの放射光を遮断し、放射光が光センサ１３に入り込むのを防止するために使用される。ページ認識器１４は、光センサ１３からの対応する信号に応じて電子本２０の現在のページを認識することができる。電子本２０は、現在のページに応じてメモリの対応するデータにアクセスし、そのデータを出力することができる。
【００１４】
本発明の第１の実施形態によれば、異なる反射層の異なる反射領域を利用して異なる反射光を反射させることにより、電子本が、利用者が今開いているページを認識することができる。反射領域を正しい反射光を反射させるように精確に制御することができるので、ページ認識器が現在のページを精確に認識し、従来の電子本によるページ総重量の誤りという問題を解決することができる。
【００１５】
図４を参照すると、この図は本発明の第２の実施形態にかかる、電子本のページを認識する光モジュールを示す。この光モジュール４０は、２個の光源４２，４４と、複数の反射層４７１，４７２，４７３，４８１，４８２，４８３と、２個の光センサ４３，４５と、ページ認識器４６と、２個のフィルタ７１，７３と、２つの遮蔽層７２，７４を備えている。光源４２，４４は、放射光を発生させるために使用され、電子本５０のカバー５０１に搭載されている。好ましくは、放射光は赤外光である。電子本５０のカバー５０１は第１のスロット５０２と第２のスロット５０３を有しており、第１のスロット５０２は第１の光源４２と第１の光センサ４３を収容するために使用され、第２のスロット５０２は第２の光源４４と第２の光センサ４５を収容するために使用される。
【００１６】
反射層４７１，４７２，４７３は第１の光源４２からの放射光を反射させるために使用され、反射層４８１，４８２，４８３は第２の光源４４からの放射光を反射させるために使用される。反射層は電子本５０のページ上に設けられている。例えば、第１の反射層４７１と第２の反射層４８１は電子本５０の第１ページ５１上に設けられ、第３の反射層４７２と第４の反射層４８２は電子本５０の第２ページ５２上に設けられ、第５の反射層４７３と第６の反射層４８３は電子本５０の第３ページ５３上に設けられている。
【００１７】
図５Ａないし図５Ｂを参照すると、これらの図は電子本のページを示す。電子本５０のページはそれぞれ２つの開口を有している。図５Ａを参照すると、第１ページ５１は第１の開口５１１と第２の開口５１２を有している。開口５１１，５１２は正方形である。第１の開口５１１は図４に示す第１のスロット５０２に対応しており、第２の開口５１２は図４に示す第２のスロット５０３に対応している。第１の反射層４７１は第１の開口５１１の周辺部に設けられており、第２の反射層４８１は第２の開口５１２の周辺部に設けられている。第１の反射層４７１および第２の反射層４８１のサイズと形状は図３Ａの第１の反射層１２１と同じである。
【００１８】
図５Ｂを参照すると、第２ページ５２は第１の開口５２１と第２の開口５２２を有している。開口５２１，５２２は正方形である。第３の反射層４７２は第１の開口５２１の周辺部に設けられており、第４の反射層４８２は第２の開口５２２の周辺部に設けられている。第３の反射層４７２および第４の反射層４８２のサイズと形状は図３Ｂの第２の反射層１２２と同じである。
【００１９】
図４を再び参照すると、第１の光センサ４３は反射層４７１，４７２，４７３からの反射光を受け取り、対応する第１の信号を出力するために使用され、第２の光センサ４５は反射層４８１，４８２，４８３からの反射光を受け入れ、対応する第２の信号を出力するために使用される。第２の実施形態では、放射光を反射させるような何かを現在のページ上に配したことによる誤りを回避するために、反射光を二重に検査する２個の光センサ４３，４５が存在している。
【００２０】
第１のフィルタ７１は第１の光源４２と第１の光センサ４３の上方に配置されており、周辺の可視光を遮るために使用される。第１の遮蔽層７２は第１の光源４２と第１の光センサ４３との間に配置されており、第１の光源４２からの放射光を遮断し、放射光が第１の光センサ４３に入り込むのを防止するために使用される。第２のフィルタ７３は第２の光源４４と第２の光センサ４５の上方に配置されており、周辺の可視光を遮るために使用される。第２の遮蔽層７４は第２の光源４４と第２の光センサ４５との間に配置されており、第２の光源４４からの放射光を遮断し、放射光が第２の光センサ４５に入り込むのを防止するために使用される。
【００２１】
ページ認識器４６は、第１の光センサ４３からの対応する第１の信号と第２の光センサ４５からの対応する第２の信号とに従って、電子本５０の現在のページを精確に認識することができる。電子本５０は、現在のページに応じてメモリの対応するデータにアクセスし、そのデータを出力することができる。
【００２２】
本発明の第２の実施形態によれば、第１の光源４２、反射層４７１，４７２，４７３、第１の光センサ４３、第１のフィルタ７１および第１の遮蔽層７２が組み合わされて、対応する第１の信号を得るための第１の集合を形成しており、第２の光源４４、反射層４８１，４８２，４８３、第２の光センサ４５、第２のフィルタ７３および第２の遮蔽層７４が組み合わされて、対応する第２の信号を得るための第２の集合を形成している。したがって、光モジュール４０は、第１の実施形態の光モジュール１０の上記の利点に加え、利用者が今開いているページをより精確に認識して反射光の誤りを回避することができる。
【００２３】
本発明の実施形態について説明したが、当業者により様々な変形および改良がなされ得る。したがって、本発明の実施形態は限定的な意味ではなく例示的な意味で記載されている。本発明が図示した特定の形状に限定されるものではなく、本発明の精神および範囲を維持するあらゆる変形が特許請求の範囲内に包含されることが意図されている。
【図面の簡単な説明】
【００２４】
【図１】図１は本発明の第１の実施形態にかかる、現在のページ（第２ページ）を認識する光モジュールを備えた電子本を示す。
【図２】図２は本発明の第１の実施形態にかかる、現在のページ（第３ページ）を認識する光モジュールを備えた上記電子本を示す。
【図３Ａ】図３Ａは本発明の第１の実施形態にかかる、第１の反射層を有する第１ページを示す。
【図３Ｂ】図３Ｂは本発明の第１の実施形態にかかる、第２の反射層を有する第２ページを示す。
【図３Ｃ】図３Ｃは本発明の第１の実施形態にかかる、第３の反射層を有する第３ページを示す。
【図４】図４は本発明の第２の実施形態にかかる、現在のページ（第３ページ）を認識する光モジュールを備えた電子本を示す。
【図５Ａ】図５Ａは本発明の第２の実施形態にかかる、第１の反射層と第２の反射層を有する第１ページを示す。
【図５Ｂ】図５Ｂは本発明の第２の実施形態にかかる、第３の反射層と第４の反射層を有する第２ページを示す。
【図６】図６は現在のページを認識する秤量センサを備えた従来の電子本を示す。
【図１】
0004499638.tif 000002
【図２】
0004499638.tif 000003
【図３Ａ】
0004499638.tif 000004
【図３Ｂ】
0004499638.tif 000005
【図３Ｃ】
0004499638.tif 000006
【図４】
0004499638.tif 000007
【図５Ａ】
0004499638.tif 000008
【図５Ｂ】
0004499638.tif 000009
【図６】
0004499638.tif 000010